(57)【要約】      （修正有）【課題】携帯端末の傾き等に従う指示を画像処理装置に送信することで、画像処理装置で起動すべきアプリや画像処理設定を反映した画像処理を効率よく行う。【解決手段】携帯端末と画像処理装置との無線通信により接続が確立すると、取得する画像処理装置で読み取るべき原稿の状態情報を判定する。ここで、読み取るべき原稿があると判定した場合、制御部は、携帯端末から前記画像処理装置に対して特定のアプリケーションの起動させるための指示を行う。一方、読み取るべき原稿がないと判定した場合、制御部は、特定のアプリケーションの起動する指示を行わないように制御する。【選択図】図１
2013121053.tif 000002
【特許請求の範囲】
【請求項１】
携帯端末であって、
画像処理装置と無線通信する通信手段と、
前記通信手段による通信で取得する前記画像処理装置で読み取るべき原稿の状態情報を判定する判定手段と、
読み取るべき原稿があると判定した場合、前記携帯端末から前記画像処理装置に対して特定のアプリケーションの起動をさせるための指示を行い、読み取るべき原稿がないと判定した場合、特定のアプリケーションの起動をさせる指示を行わない制御手段と、
を備えることを特徴とする携帯端末。
【請求項２】
さらに、画像処理装置と近接無線で通信する手段を備え、
画像処理装置と近接無線での通信が確立すると、
前記読み取るべき原稿の状態情報を判定し、判定の結果に従った処理を行うことを特徴とする請求項１記載の携帯端末。
【請求項３】
さらに、前記携帯端末の傾き状態を検出する検出手段と、
前記検出手段が検出する前記携帯端末の傾き状態に応じて、前記原稿を読み取るための指示を作成する作成手段と、
前記作成手段により作成された指示を前記画像処理装置に設定可能かどうかを判別する第１の判別手段と、
前記作成手段により作成された指示が設定可能でないと判別した場合は、前記画像処理装置に設定可能な指示に補正する第１の補正手段と、
前記補正された指示または前記作成された指示を前記画像処理装置に送信する送信手段と、
を備えることを特徴とする請求項１記載の携帯端末。
【請求項４】
前記通信手段は、前記画像処理装置と無線ＬＡＮ通信または短距離無線通信部のいずれかで通信することを特徴とする請求項１記載の携帯端末。
【請求項５】
前記特定のアプリケーションは、前記原稿を読み取るスキャンアプリケーション、前記原稿を読み取って印刷するコピーアプリケーションを含むことを特徴とする請求項１記載の携帯端末。
【請求項６】
前記検出手段が検出する前記携帯端末の傾き状態に応じて対応づけられた前記画像処理装置に対して設定すべき指示を保存する保存手段と、
前記検出手段が検出する前記携帯端末の傾き状態に応じて対応づけられた前記画像処理装置に対して設定すべき指示を読み出す手段と、
読み出した指示を前記画像処理装置に設定可能かどうかを判別する第２の判別手段と、
読み出した指示が設定可能でないと判別した場合は、前記画像処理装置に設定可能な指示に補正する第２の補正手段と、
を備えることを特徴とする請求項３記載の携帯端末。
【請求項７】
画像処理装置であって、
携帯端末と無線通信する通信手段と、
前記携帯端末から取得するアプリケーション情報に基づいて読み取るべき原稿の状態を前記携帯端末に送信する送信手段と、
前記携帯端末から取得する指示で特定される前記原稿を処理すべきアプリケーションを起動する起動手段と、
を備えることを特徴とする画像処理装置。
【請求項８】
前記携帯端末から送信される指示に基づいて、前記アプリケーションが実行すべき画像処理に対して設定を行う設定手段を備えることを特徴とする請求項７記載の画像処理装置。
【請求項９】
前記指示は、前記携帯端末の傾き情報に対応づけられた指示であることを特徴とする請求項８記載の画像処理装置。
【請求項１０】
携帯端末と画像処理装置とが通信する画像処理システムにおいて、
前記携帯端末は、
前記画像処理装置から取得する読み取るべき原稿の状態情報を判定する判定手段と、
読み取るべき原稿があると判定した場合、前記携帯端末から前記画像処理装置に対して特定のアプリケーションの起動をさせるための指示を行い、読み取るべき原稿がないと判定した場合、特定のアプリケーションの起動をさせる指示を行わない制御手段と、を備え、
前記画像処理装置は、
前記携帯端末から取得するアプリケーション情報に基づいて読み取るべき原稿の状態を前記携帯端末に送信する送信手段と、
前記携帯端末から取得する指示で特定される前記原稿を処理すべきアプリケーションを起動する起動手段と、を備えることを特徴とする画像処理システム。
【請求項１１】
携帯端末における制御方法であって、
画像処理装置と無線通信する通信工程と、
前記画像処理装置から取得する読み取るべき原稿の状態情報を判定する判定工程と、
読み取るべき原稿があると判定した場合、前記携帯端末から前記画像処理装置に対して特定のアプリケーションの起動をさせるための指示を行い、読み取るべき原稿がないと判定した場合、特定のアプリケーションの起動をさせる指示を行わない制御工程と、
を備えることを特徴とする制御方法。
【請求項１２】
画像処理装置における制御方法であって、
携帯端末と無線通信する通信工程と、
前記携帯端末から取得するアプリケーション情報に基づいて読み取るべき原稿の状態を前記携帯端末に送信する送信工程と、
前記携帯端末から取得する指示で特定される前記原稿を処理すべきアプリケーションを起動する起動工程と、
を備えることを特徴とする制御方法。
【請求項１３】
請求項１１または１２に記載の制御方法をコンピュータに実行させることを特徴とするプログラム。
【発明の詳細な説明】
【技術分野】
【０００１】
本発明は、画像処理装置と携帯端末とが通信してデータ処理を行う画像処理システム、制御方法及びプログラムに関するものである。
【背景技術】
【０００２】
近年、スマートフォンやタブレット端末などの携帯端末がオフィス内でも業務用に使用されるようになってきている。また、スマートフォンやタブレット端末などの携帯端末には近接無線通信部（Near Field Communicationなど）や短距離無線通信部(Ｂｌｕｅｔｏｏｔｈ（登録商標）、赤外線通信など)、無線ＬＡＮなどの通信手段が装備されさまざまな装置との通信が容易にできるようになってきている。
【０００３】
さらに、複合機にも前述の近接無線部通信、短距離無線通信部、ＬＡＮなどの通信手段が装備されており、スマートフォンやタブレット端末なの携帯端末と通信を行い、連携して動作する機能を提供するようになってきている。
下記特許文献１には、携帯端末と複合機を短距離無線で接続し、それぞれの画面表示状態に応じた機能を実行する技術が開示されている。
【先行技術文献】
【特許文献】
【０００４】
【特許文献１】特開２００７−７９６３９号公報
【発明の概要】
【発明が解決しようとする課題】
【０００５】
上記特許文献１では、画面の表示状態により機能を選択しているが、画像処理装置の読取部に載置される、あるいは原稿搬送装置より搬送可能に載置された原稿状態までは考慮していない。
また、画像処理装置で起動すべきアプリに対して、読取部に対する読み取り設定を変更しようとした場合、ユーザが設定変更の操作を行う必要があった。
例えば画像処理装置に対して、画像の回転等の設定を行うためには、読み取り画面で回転の指示を行う必要があり、ユーザの操作負担を軽減できないという課題があった。
【０００６】
本発明は、上記の課題を解決するためになされたもので、本発明の目的は、携帯端末の傾き等に従う指示を画像処理装置に送信することで、画像処理装置で起動すべきアプリや画像処理設定を反映した画像処理を効率よく行える仕組みを提供することである。
【課題を解決するための手段】
【０００７】
上記目的を達成する本発明の携帯端末は以下に示す構成を備える。
携帯端末であって、画像処理装置と無線通信する通信手段と、前記通信手段による通信で取得する前記画像処理装置で読み取るべき原稿の状態情報を判定する判定手段と、読み取るべき原稿があると判定した場合、前記携帯端末から前記画像処理装置に対して特定のアプリケーションの起動をさせるための指示を行い、読み取るべき原稿がないと判定した場合、特定のアプリケーションの起動をさせる指示を行わない制御手段と、を備えることを特徴とする。
【発明の効果】
【０００８】
本発明によれば、携帯端末の傾き等に従う指示を画像処理装置に送信することで、画像処理装置で起動すべきアプリや画像処理設定を反映した画像処理を効率よく行える。
【図面の簡単な説明】
【０００９】
【図１】画像処理システムの一例を示す図である。
【図２】図１に示した複合機のハードウエア構成を示すブロック図である。
【図３】複合機のソフトウエア構成の主要部分を示すソフトウエア構成図である。
【図４】携帯端末のハードウエア構成を説明するブロック図である。
【図５】携帯端末で動作するプログラムの構成を示すソフトウエア構成図である。
【図６】画像処理システムの制御方法を説明するフローチャートである。
【図７】携帯端末のハードウエア構成を説明するブロック図である。
【図８】複合機の操作部に表示されるユーザインタフェースの一例を示す図である。
【図９】画像処理システムの制御方法を説明するフローチャートである。
【図１０】画像処理システムの制御方法を説明するフローチャートである。
【発明を実施するための形態】
【００１０】
次に本発明を実施するための最良の形態について図面を参照して説明する。
＜システム構成の説明＞
〔第１実施形態〕
【００１１】
図１は、本発明の第１実施形態を示す画像処理システムの一例を示す図である。本例は、携帯端末が短距離無線通信機能と、短距離無線通信機能以外の無線通信機能を備えて、携帯端末のユーザがネットワークに無線ＬＡＮを介して接続可能で、かつ、画像処理装置と無線ＬＡＮ通信可能に構成されている例である。
図１において、１００５はＬＡＮ（ローカルエリアネットワーク）で、無線ＬＡＮルータ１００６，複合機２０００が接続されている。携帯端末４０００は、無線ＬＡＮルータ１００６を介してＬＡＮ１００５に接続された機器と通信可能なように構成されている。ここで、複合機２０００は画像処理装置として、スキャン機能、コピー機能、データ通信機能を備えている。
【００１２】
また、複合機２０００は、ＬＡＮ１００５に有線ＬＡＮとして接続可能であり、携帯端末４０００とは短距離無線通信可能に構成されている。つまり、複合機２０００と携帯端末４０００は短距離無線通信部（Ｂｌｕｅｔｏｏｔｈ（登録商標））手段を備え短距離無線通信部経由でも通信可能になっている。ここでは、短距離無線通信部手段がＢｌｕｅｔｏｏｔｈ（登録商標）の例を示すが、Ｂｌｕｅｔｏｏｔｈ（登録商標）の代わりに赤外線通信などで通信可能にしてもよい。なお、無線ＬＡＮルータ１００６は、ＷｉＦｉ（wireless fidelity）規格に従って携帯端末４０００と通信可能に構成されている。
【００１３】
図２は、図１に示した複合機２０００のハードウエア構成を示すブロック図である。
図２において、コントローラユニットＣＵは、画像入力デバイスであるスキャナ２０７０や画像出力デバイスであるプリンタ２０９５を接続している。ここで、スキャナ２０７０で読み取られた画像データをプリンタ２０９５により印刷出力するコピー機能を実現するための制御を行う。
【００１４】
コントローラユニットＣＵは、さらに、ＬＡＮ１００５に接続することによって、画像情報やデバイス情報の入出力を行うための制御を行う。また、例えばｂｌｕｅｔｏｏｔｈ（登録商標）による短距離無線通信部２１２０を介して携帯端末４０００と接続することにより、印刷する画像データの受信や、スキャンした画像の送信を行うことができる。
さらに、近接無線通信部（ＮＦＣ）２１３０を介して携帯端末４０００と接続することにより、携帯端末４０００の状態、複合機２０００の状態や印刷要求やスキャン要求などを送受信可能に構成されている。
【００１５】
コントローラユニットＣＵは、具体的には、ＣＰＵ２００１を有し、ＣＰＵ２００１は、ＨＤＤ（ハードディスクドライブ）２００４に格納されているブートプログラムによりオペレーションシステム（ＯＳ）を立ち上げる。その後、このＯＳ上でＨＤＤ２００４に格納されているアプリケーションプログラムを実行することによって各種処理を実行する。このＣＰＵ２００１の作業領域としてはＲＡＭ２００２が用いられる。ＲＡＭ２００２は、作業領域とともに、画像データを一時記憶するための画像メモリ領域を提供する。ＨＤＤ２００４は、上記アプリケーションプログラムとともに、画像データやユーザ情報、装置設定情報を格納する。本実施例では、ＨＤＤ２００４はハードディスクドライブを用いるものとするが、ＨＤＤと同様のインタフェースで接続可能なＳＳＤ
（ソリッドステートドライブ）を使用することもできる。ＣＰＵ２００１には、システムバス２００７を介してＲＡＭ２００２が接続されている。
【００１６】
ＣＰＵ２００１には、さらに、操作部Ｉ／Ｆ（操作部インタフェース）２００６、ネットワークＩ／Ｆ（ネットワークインタフェース）２０１０およびイメージバスＩ／Ｆ（イメージインタフェース）２００５が接続されている。
【００１７】
操作部Ｉ／Ｆ２００６は、タッチパネルを有する操作部２０１２とのインタフェースであり、操作部２０１２に表示する画像データを操作部２０１２に対して出力する。また、操作部Ｉ／Ｆ２００６は、操作部２０１２においてユーザにより入力された情報をＣＰＵ２００１に送出する。
次に、ネットワークＩ／Ｆ２０１０は、ＬＡＮ１００５に接続され、ＬＡＮ１００５を介してＬＡＮ１００５上の各装置との間で情報の入出力を行う。
イメージバスＩ／Ｆ２００５は、システムバス２００７と画像データを高速で転送する画像バス２００８を接続し、データ構造を変換するためのバスブリッジである。画像バス２００８は、ＰＣＩバスまたはＩＥＥＥ１３９４から構成される。
【００１８】
画像バス２００８上には、ラスタイメージプロセッサ（ＲＩＰ）２０６０、デバイスＩ／Ｆ２０２０、スキャナ画像処理部２０８０、プリンタ画像処理部２０９０、画像回転部２０３０、画像圧縮部２０４０が設けられている。
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。
【００１９】
スキャナ画像処理部２０８０は、入力画像データに対し補正、加工、編集を行う。プリンタ画像処理部２０９０は、プリント出力画像データに対してプリンタの補正、解像度変換などを行う。画像回転部２０３０は、画像データの回転を行う。
画像圧縮部２０４０は、多値画像データをＪＰＥＧデータに、２値画像データをＪＢＩＧ、ＭＭＲ、ＭＨなどのデータに圧縮するとともに、その伸張処理を行う。
【００２０】
電源２１００は、外部からの電源を変圧、ＡＣ／ＤＣ変換し、各コントローラユニットに電源を供給する。電源のオフ、オン操作は操作部２０１２に設けられたスイッチにより行うことができるように構成されている。
【００２１】
図３は、図１に示した複合機２０００で動作するアプリケーションプログラムのソフトウエア構成の主要部分を説明するソフトウエア構成図である。
図３において、プログラムは、操作部２０１２のユーザの操作に応じた処理を行う操作部アプリケーション３０１０、デバイス管理部３０３０、データを管理するためのデータ管理部３１００、ネットワーク制御部３０３５，画像処理部３０３７で構成される。
さらに、携帯端末４０００と通信可能とするためのＮＦＣ２１３０を制御するＮＦＣ制御部３０４０を備える。また、短距離無線通信部２１２０を制御する短距離無線制御部３０４２を備える。操作部アプリケーション３０１０において、主制御部３０１１は、画面の表示やユーザのタッチパネル操作などの基本的な入出力を行う。また、ＷｅｂＵＩ処理部３０２０は、操作部２０１２に表示するのに類似したユーザインタフェースをＷｅｂアプリケーションとして提供する。ここで、ＷｅｂＵＩ処理部３０２０は、ＬＡＮ１００５に接続された携帯端末４０００のＷｅｂブラウザにＵＩを表示し、Ｗｅｂブラウザの操作を受けとり、操作に応じた処理を行う。
【００２２】
コピー操作処理部３０１２は、デバイス管理部３０３０を用いて、原稿を読み取り記録紙に複写するコピー操作を行わせる。スキャン操作処理部３０１３は、デバイス管理部３０３０および文書管理部３０５０を用いて原稿を読み取り電子画像データに変換し、文書ボックスに格納したり、ＬＡＮ１００５上の装置やＢｌｕｅｔｏｏｔｈ（登録商標）で接続された携帯端末４０００に送信したりする。送信操作処理部３０１４は、デバイス管理部３０３０を用いて、原稿を読み取り、電子メール、ファイルサーバーへの送信をする。文書ボックス操作処理部３０１５は、文書管理部３０５０およびデバイス管理部３０３０を用いて、文書ボックス内に保存されている電子画像データの表示、印刷、送信などを行う。ＰＤＬ処理部３０１８は、ＬＡＮ１００５から受信したプリントデータ（ＰＤＬ）をプリンタ２０９５で印刷する。
【００２３】
携帯端末連携処理部３０１９は、ネットワーク制御部３０３５、ＮＦＣ制御部３０４０、短距離無線制御部３０４２を用いて携帯端末４０００との通信を行い、連係動作をする。
【００２４】
ファイル変換部３０１７は、画像ファイルからＰｏｒｔａｂｌｅ  Ｄｏｃｕｍｅｎｔ  Ｆｏｒｍａｔ（ＰＤＦ）やＸＭＬ  Ｐａｐｅｒ  Ｓｐｅｃｉｆｉｃａｔｉｏｎ（ＸＰＳ）への変換処理およびその逆のファイル変換処理を行う。ここで、画像ファイルはＪＰＥＧ、ＭＨ、ＭＭＲ、ＪＢＩＧ、ＴＩＦＦなどの画像ファイルである。画像処理部３０３７は、フルカラー画像を白黒画像、単色画像、２色画像などへの変換や、拡大、縮小処理を行う。
デバイス制御部３０３１において、スキャナ制御部３０３２は、スキャナ２０７０を制御する。プリンタ制御部３０３３は、プリンタ２０９５を制御する。
【００２５】
データ管理部３１００において、文書管理部３０５０は、ＨＤＤ２００４に保存された画像データなどのファイルからなる文書の作成・変更・削除・閲覧等の処理を行う。また、文書管理部３０５０は、文書を格納するフォルダの作成・変更・削除・閲覧、文書やフォルダの属性情報の変更、文書や文書の一時保管などの処理を行う。また、これらの情報は文書管理情報部３０５１で管理される。
【００２６】
図４は、図１に示した携帯端末４０００のハードウエア構成を説明するブロック図である。
図４において、携帯端末は、制御部４０１０を中心にこれに対してデジタル信号処理部４０４０、表示部４０２０、操作部４０３０、ＮＦＣ４０９２、短距離無線通信部４０９４、無線ＬＡＮ４０９６が接続されている。
さらに、制御部４０１０は、電子コンパス４０８２、傾きセンサ部４０８４が接続されて構成される。制御部４０１０は、携帯電話機の機能を実現するための主要部であり、図示しないＣＰＵ、ＥＥＰＲＯＭ、Ｆｌａｓｈ、ＳＲＡＭ等で構成される。
【００２７】
デジタル信号処理部４０４０は、マイク４０６５を接続した音声入力部４０６０、スピーカ４０７５を接続した音声出力部４０７０、アンテナ４０５２を接続したＲＦ入出力部４０５０と接続されている。そして、デジタル音声信号のエンコード、及びデジタル音声信号へのデコード等を行う。
【００２８】
音声入力部４０６０は、マイク４０６５からのアナログ音声信号をデジタル信号に変換する。音声出力部４０７０は、受信したデジタル音声信号をスピーカ駆動するための部位である。ＲＦ入出力部４０５０は、高周波送受信を行う。
【００２９】
表示部４０２０は、ユーザに対して情報の表示出力を行い、ＬＣＤドライバ、ＬＣＤ表示デバイス等で構成される。操作部４０３０は、ユーザが携帯端末４０００に対して操作情報を提供する。電源部４１００は、バッテリ電源を基に各ブロックに必要な電力を発生、供給を行う。ＮＦＣ４０９２は、アンテナ４０９３を介して外部端末との間でデータ等の授受を行う。
短距離無線通信部４０９４は、アンテナ４０９５を介して外部端末との間でデータ等の授受を行う。無線ＬＡＮ４０９６は、アンテナ４０９７を介して外部端末との間でデータ等の授受を行う。電子コンパス４０８２は図示しない地磁気センサや加速度センサ等から構成されており、携帯端末４０００の向きや傾きを検出する。
【００３０】
図５は、図４に示した携帯端末４０００で動作するプログラムの構成を説明するソフトウエア構成図である。このプログラムは制御部４０１０に格納され実行されるように構成されている。
なお、プログラムの主要部は、主制御部５０１０、通話アプリケーション５０２０、スキャンアプリケーション５０３０から構成される。
【００３１】
主制御部５０１０は、ユーザの操作に応じてアプリケーションの起動、終了、切り替えを管理する。通話アプリケーション５０２０はユーザの通話操作に応じて通話を行うように構成されている。
【００３２】
スキャンアプリケーション５０３０は、複合機２０００と連携して原稿読み取りを行うためのアプリケーションである。スキャンアプリケーションの動作についてはフローチャートを用いて後述する。
制御部４０１０において、複合機２０００など他の装置と通信可能なように以下を備えている。
近接無線部（ＮＦＣ）制御部５０４２は、ＮＦＣ４０９２を制御する。短距離無線（Ｂｌｕｅｔｏｏｔｈ（登録商標））制御部５０４４は、短距離無線通信部４０９４を制御する。無線ＬＡＮ制御部５０４６は、無線ＬＡＮ４０９６を制御する。
傾き検出部５０４８は、電子コンパス４０８２を制御して携帯端末縦位置からの傾きを検出する。
【００３３】
図６は、本実施形態を示す画像処理システムの制御方法を説明するフローチャートである。本例では、携帯端末４０００と複合機２０００が連携して動作する際のデータ処理を説明する。なお、図中、左側の「携帯側アプリ起動処理」で開始されるフローのステップは携帯端末４０００の制御部４０１０で実行されるスキャンアプリケーション５０３０の処理である。また、右側の「ＭＦＰ側アプリ起動処理」で開始されるフローに示す各ステップは複合機２０００のＣＰＵ２００１で実行される携帯端末連携処理部３０１９の処理である。
【００３４】
さらに、これらの処理は、ユーザの操作による携帯端末４０００のＮＦＣ４０９２の接触を複合機２０００のＮＦＣ２１３０が検知したことに応じて開始される。
携帯端末４０００は、Ｓ６０１０で、複合機２０００はＳ６５１０で、互いの通信を近接無線部通信により確立し、データの送受を行うことができるよう接続する。
【００３５】
引き続き、携帯端末４０００は、Ｓ６０２０で、スキャンアプリケーション５０３０の起動準備を行い、近接無線部により、その状況を複合機２０００に送信する。複合機２０００は、Ｓ６５２０で、ＮＦＣ制御部３０４０により携帯端末４０００からアプリケーション情報を取得する。
【００３６】
次に、Ｓ６５３０で、複合機２０００のＣＰＵ２００１は、受信した状況を確認し、携帯端末４０００で起動しているのがＭＦＰアプリケーション（スキャンアプリケーション５０３０）であるかどうかを判定する。ここで、スキャンアプリケーション５０３０ではないとＣＰＵ２００１が判定した場合は、本処理を終了する。このとき、複合機２０００はユーザへのフィードバックとして操作部２０１２の画面にエラーメッセージの表示を行う。
【００３７】
一方、Ｓ６５３０で、スキャンアプリケーションであるとＣＰＵ２００１が判定した場合は、ＣＰＵ２００１は、Ｓ６５４０で、複合機２０００の装置状態を収集し、それを携帯端末４０００に送信する。ここで、携帯端末４０００に送信される装置状態には、利用可能な通信経路、利用可能な通信経路に割り当てられているアドレスが含まれる。さらに、携帯端末４０００に送信される装置状態には、スキャナ２０７０の原稿台に原稿があるかないかの原稿状況、原稿が原稿台に対して縦向き／横向きのいずれの状態で置かれているのかを示す原稿向き情報、及び使用可能な読取設定項目などが含まれる。
【００３８】
なお、通信経路としては装置の運用状態により短距離無線通信部，ＬＡＮのどちらか一方または両方を通知する。また、短距離無線通信部が無効になっている場合や、ＬＡＮケーブルが抜けている場合など状況によってはどちらもなしとして通知することもある。
また、利用可能な読み取り設定項目には、カラー設定、読み取り解像度、生成ファイル形式、生成時画像回転角度、ページ集約、保存先などが含まれる。
【００３９】
ここで、利用可能なカラー設定の値として、「白黒」、「グレースケール」、「フルカラー」などが含まれる。また、利用可能な読み取り解解像度設定の値として「３００ｄｐｉ」、「６００ｄｐｉ」などが含まれる。さらに、利用可能な生成ファイル形式の値として「ＪＰＥＧ」、「ＴＩＦＦ」、「ＰＤＦ」、「ＸＰＳ」などが含まれる。また、利用可能な生成時画像回転角度の値として「０度」、「９０度」、「１８０度」、「２７０度」などが含まれる。さらに、利用可能なページ集約の値には「１ページ」、「２ページ」、「４ページ」などが含まれる。また、利用可能な保存先の値には「携帯端末」、「本体ボックス」などが含まれる。
【００４０】
次に、Ｓ６０３０で、携帯端末４０００は上記装置状態を受信し、後で参照可能なように一時的に保存しておく。携帯端末４０００は、Ｓ６０４０で、引き続き携帯端末４０００の動作状況を取得する。ここでは、通信経路として短距離無線通信部４０９４が利用可能な状況であるか、無線ＬＡＮ４０９６が利用可能な状況であるかを検査し利用可能な通信経路を保存しておく。
次に、Ｓ６０５０で、携帯端末４０００の制御部４０１０は、複合機２０００から受信した通信経路と携帯端末で利用可能な通信経路と照らし合わせて、複合機２０００との接続経路がＷｉＦｉ接続かＢＴ接続のいずれであるかを判定する。ここで、制御部４０１０は、両者間で共通して利用可能な通信経路が１つの場合はその経路を選択する。
【００４１】
ここで、制御部４０１０は、両者間で共通して利用可能な通信経路が２つある場合はあらかじめ設定された優先経路を選択する。また、両者間で共通して利用可能な通信経路が一つもない場合は接続を行わず、Ｓ６１１０に処理を進める。Ｓ６１１０で、携帯端末４０００の制御部４０１０は、表示部４０２０に複合機２０００と通信できない旨のエラーメッセージを表示し、さらにＮＦＣ４０９２経由で複合機２０００にコピー操作処理部３０１２の起動要求を行い、携帯端末側の処理を終了する。
【００４２】
ここでは、起動するプログラムをコピー操作処理部３０１２としているが、近接無線部以外の経路で通信できなかった場合にどの操作部アプリケーションを起動するかをあらかじめ設定しておき、設定に従ったアプリケーションを起動するようにしてもよい。
次に、携帯端末４０００の制御部４０１０は、判定の結果短距離無線通信部が選択されたと判定した場合はＳ６０６０へ、無線ＬＡＮ通信が選択されたと判定した場合はＳ６０７０に処理を進める。
【００４３】
そして、Ｓ６０６０で携帯端末４０００の制御部４０１０は、複合機２０００から受信したＢｌｕｅｔｏｏｔｈ（登録商標）アドレスを使用して短距離無線制御部５０４４により複合機２０００と短距離無線通信部の接続経路を確立する。これ以降、処理が終了するまで短距離無線通信部による通信を行う。携帯端末４０００は接続が確立すると、複合機２０００にスキャン操作処理部３０１３を起動する指示を送信する。
【００４４】
一方、Ｓ６０７０では、携帯端末４０００は複合機２０００から受信したＬＡＮのＩＰアドレスを使用して無線ＬＡＮ制御部５０４６により複合機２０００と無線ＬＡＮの接続経路を確立する。これ以降、処理が終了するまで無線ＬＡＮ通信による通信を行う。携帯端末４０００は接続が確立すると、複合機２０００にスキャン操作処理部３０１３を起動する指示を送信する。これを受けて、Ｓ６５５０で、複合機２０００は、携帯端末４０００が選択した経路によりＷｉＦｉ接続あるいはＢＴ接続を行い、これ以降処理が終了するまで選択された経路で通信を行う。
【００４５】
携帯端末４０００では、Ｓ６０３０で受信した画像処理装置の状態情報のうち原稿状況により処理を分岐する（Ｓ６０８０）。ここで、「原稿なし」であると制御部４０１０が判定した場合は、Ｓ６０９０に処理を進め、「原稿あり」であると制御部４０１０が判定した場合は、Ｓ６１００に処理を進める。
【００４６】
そして、Ｓ６０９０では、複合機２０００に読み取るべき原稿がないので、スキャン操作処理部３０１３を起動してもユーザメリットは少ない。そこで、携帯端末４０００の制御部４０１０は表示部４０２０にその旨を表示し、複合機２０００に終了指示を送信し、本処理を終了する。
【００４７】
ここでは、複合機２０００に終了指示を送信することとするが、Ｓ６１１０と同様に原稿がない時に起動する操作部アプリケーションをあらかじめ設定しておき、設定に従ったアプリケーションを起動するようにしてもよい。
次に、携帯端末４０００の制御部４０１０は、傾き検出部５０４８で電子コンパス４０８２を用いて携帯端末４０００の向きを検出し、Ｓ６１２０で、検出された向きを判定して処理を以下のように分岐する。
【００４８】
図７の（Ａ）に示すように携帯電話の向きが縦（縦位置からの傾き角度が０度前後）であると制御部４０１０が判定した場合、携帯端末４０００は、作成される画像の回転角度が０度となるような原稿読み取り指示を作成する（Ｓ６１３０）。
一方、図７の（Ｂ）に示すように携帯電話の向きが横（であると制御部４０１０が判定した場合、携帯端末４０００の制御部４０１０は、作成される画像の回転角度が９０度となるような原稿読み取り指示を作成する（Ｓ６１４０）。ここで、携帯電話の向きが横とは、縦位置からの傾き角度が９０度前後である場合である。
【００４９】
次に、携帯端末４０００は、Ｓ６０３０で保存した利用可能な回転角度を読み出す（Ｓ６１５０）。次に、携帯端末４０００の制御部４０１０は、Ｓ６１６０で、回転角度が利用可能な回転角度かどうかを判別（第１の判別処理）することにより処理を分岐する。ここで、利用可能な回転角度であると制御部４０１０が判定した場合はＳ６１７０に、利用可能な回転角度でないと制御部４０１０が判別した場合は、Ｓ６１８０にそれぞれ処理を進める。
【００５０】
そして、Ｓ６１８０で、携帯端末４０００の制御部４０１０は、指示された回転角度が利用できないので利用できる回転角度への補正処理を行う。例えば利用できる回転角度が０度（回転なし）だけであった場合は、回転角度を０度に補正する第１の補正処理を実行する。
そして、Ｓ６１７０で、携帯端末４０００の制御部４０１０は、作成した原稿読み取り指示を複合機２０００に送信して、本処理を終了する。
一方、複合機２０００のＣＰＵ２００１は、Ｓ６５６０で操作部アプリケーションの起動指示を受信する。次に、複合機２０００のＣＰＵ２００１は、起動を指示されたアプリケーションを確認し、処理を分岐する。ここで、終了を指示されたとＣＰＵ２００１が判定した場合には、アプリケーションを起動せずに、本処理を終了する。
【００５１】
ここで、コピー操作処理部３０１２の起動を指示されたＣＰＵ２００１が判定した場合には、複合機２０００のＣＰＵ２００１は、Ｓ６５９０で、コピー操作処理部３０１２に対応づけられたコピーアプリケーションを起動する。ここで携帯端末４０００は、操作部２０１２に原稿読み取りを実行するための画面が表示する。
【００５２】
一方、Ｓ６５７０で、スキャン操作処理部３０１３の起動を指示されたとＣＰＵ２００１が判定した場合には、携帯端末４０００は、Ｓ６５８０で、スキャン操作処理部３０１３を起動する。ここで操作部２０１２に原稿読み取りを実行するための画面を表示する。
この画面については図８を使用して後述する。ここでは、図示していないが分岐の条件および分岐先である起動を指示する操作部アプリケーションとして送信操作処理部３０１４や文書ボックス操作処理部３０１５を加えてもよい。
次に、複合機２０００のＣＰＵ２００１は、Ｓ６６００で、読み取り設定を受信し、指示された読み取り設定を読み取り設定画面９０００に反映し処理を終了する。
【００５３】
図８は、図１に示した複合機２０００の操作部２０１２に表示されるユーザインタフェースの一例を示す図である。本例は、スキャン操作処理部３０１３が操作部２０１２に表示する読み取り設定画面９０００の一例である。
【００５４】
図８において、９０１０は読み取り設定のカラー設定を表示する領域である、この例では読み取り設定がフルカラーに設定されている場合の例を示している。カラー選択ボタン９０１５をユーザが押すと、選択可能なカラー設定が提示され、その中から選択することにより変更可能である。
【００５５】
９０２０は、スキャナ２０７０の原稿台に置かれている原稿のサイズを表示する部分である。この例では原稿台にＡ４の原稿が置かれていることを示している。なお、原稿が置かれていない場合にはなしと表示される。
９０３０は保存時のサイズを表示する部分で、Ａ４サイズで保存することを示している。この状態で、ユーザが保存サイズボタン９０３５を押すと、選択可能な保存サイズの一覧が提示され、その中から選択することにより保存サイズを変更可能である。
【００５６】
９０４０は読みと解像度を表示する部分である。ユーザが解像度ボタン９０４５を押すことにより、選択可能な解像度の一覧が表示されるので、その中から選択することにより読み取り解像度を変更可能である。
９０５０は保存ファイル形式を表示するボタンで、ユーザがボタン９０５０押すことにより、選択可能なファイル形式の一覧が表示されるので、その中から選択することにより変更可能である。９０６０は保存時の回転角度を表示するボタンで、ユーザがボタン９０６０を押すことにより選択可能な回転角度の一覧が表示されるので、その中から選択することにより変更可能である。
【００５７】
９０７０はページ集約の設定を表示するボタンで、ユーザがボタン９０７０を押すことにより選択可能なページ集約設定の一覧が表示されるので、その中から選択することにより変更可能である。
９０８０は生成されるファイルの保存先を表示するボタンで、ユーザがボタン９０８０を押すことにより選択可能な保存先の一覧が表示されるので、その中から選択することにより変更可能である。
【００５８】
９１００は設定状態をキャンセルするためのボタンであり、ユーザがボタン９１００を押すことにより、読み取りを実施せずにプログラムを終了する。９２００は読み取りを開始させるためのボタンであり、ユーザがボタン９２００を押すと、この画面で指定された読み取り設定によりスキャナ２０７０を動作させ画像ファイルを作成し保存する。
【００５９】
〔第２実施形態〕
上記第１実施形態では、ユーザが複合機２０００に近接した状態で、自身が操作する携帯端末４０００の傾き角度を無線通信で取得することで、複合機２０００が読み取った画像を生成する際の回転角度を変更する設定とする例を示した。
以下、本実施形態では、携帯端末４０００の傾き角度に対応させる読み取り設定を変更可能にした例を説明する。
【００６０】
なお、複合機２０００および携帯端末４０００の主要なハードウエア構成、ソフトウエア構成は上記第１実施形態と同様である。ただし、携帯端末４０００のスキャンアプリケーション５０３０のプログラム処理は、図６のフローチャートのブロック６２００を図９に示す手順７０００に変更する。
また、複合機２０００の携帯端末連携処理部３０１９のプログラムの処理は図６のフローチャートの処理ブロック６８００を図９のフローチャート中の手順７５００に変更したものである。ここでは、第１実施形態と異なる部分について図９を用いて説明する。
【００６１】
図９は、本実施形態を示す画像処理システムの制御方法を説明するフローチャートである。なお、各ステップは、携帯端末４０００の制御部４０１０、複合機２０００のＣＰＵ２００１が制御プログラムを実行することで実現される。
Ｓ７０１０で、携帯端末４０００の制御部４０１０は傾き検出部５０４８により、携帯端末４０００の傾き角度を検出し、後で参照可能なように保存しておく。
【００６２】
次に、Ｓ７０２０で携帯端末４０００の制御部４０１０は、あらかじめ設定されている携帯端末の傾き角度とどの読み取り設定を対応づけるかの設定値を読み出し、読み出した対応付け項目により処理を分岐する。
ここで、対応付けが画像の回転であると制御部４０１０が判定した場合は、Ｓ７０３０へ、ファイル形式であると判定した場合は、Ｓ７０４０に、保存先であると判定した場合は、Ｓ７０５０に処理を進める。
【００６３】
そこで、Ｓ７０３０では、携帯端末４０００の制御部４０１０は、複合機２０００から取得した原稿の向き情報と、携帯端末４０００の傾き角度により、読み取った原稿から作成する画像に対する回転角度設定、ページ集約設定を決定する。ここで、ページ集約とは読みとった画像を１ページに載せる個数である。さらに、ページ集約が２ページであれば、出力先の１ページの上の読み取った原稿画像２ページを配置する処理である。このとき、出力先のサイズによっては画像の縮小や拡大処理も実施される。
【００６４】
また、原稿向きが縦で携帯端末４０００の向きが縦（傾き角度が０度前後）であれば、制御部４０１０は、回転なし、ページ集約なしを指定する。同様に、原稿向きが縦で、携帯端末４０００の向きが横（傾き角度が９０度前後）であれば、制御部４０１０は、９０度回転、ページ集約２ページを指定する。同様に、原稿向きが横で、携帯端末４０００の向きが縦（傾き角度が０度前後）であれば、制御部４０１０は、９０度回転、ページ集約２ページ（２ｉｎ１）を指定する。同様に、原稿向きが横で携帯端末４０００の向きが横（傾き角度が９０度前後）であれば、制御部４０１０は、回転なし、ページ集約なしを指定する。
【００６５】
一方、Ｓ７０４０では、携帯端末４０００は、携帯端末４０００の向きに応じて、作成される画像のファイル形式を以下のように決定する。
縦（傾き角度が  ０度前後）であれば、制御部４０１０は、ＰＤＦを指定する。同様に、横（傾き角度が９０度前後）であれば、制御部４０１０は、ＴＩＦＦを指定する。同様に、斜め（傾き角度が  ４５度前後）であれば、制御部４０１０はＪＰＥＧを指定する。
【００６６】
Ｓ７０５０では、携帯端末４０００の制御部４０１０は、携帯端末４０００の向きに応じて、作成される画像保存先を以下のように決定する。
縦（傾き角度が０度前後）であれば、制御部４０１０は「携帯端末に送信する」を設定し、横（傾き角度が９０度前後）であれば装置の「ボックスに保存する」を設定する。
次に、Ｓ７０６０で、携帯端末４０００の制御部４０１０は、保存してある利用可能な読み取り設定を読み出す。
【００６７】
次に、Ｓ７０７０で、携帯端末４０００の制御部４０１０は、Ｓ７０３０、Ｓ７０４０、Ｓ７０５０で特定した読み出した設定が、Ｓ７０６０で読み出した利用可能な設定に含まれているかどうかを確認する。つまり、携帯端末４０００の制御部４０１０は、読み出した指示を画像処理装置に設定可能かどうかを判別（第２の判別処理）する。ここで、利用可能な設定に含まれていると制御部４０１０が判別した場合には、Ｓ７０９０に処理を進め、そうでないと判別した場合は、Ｓ７０８０に処理を進める。
【００６８】
そして、Ｓ７０８０では、携帯端末４０００の制御部４０１０は、利用可能でない読み取り設定を利用可能な読み取り設定に変更する第２の補正処理を行い、Ｓ７０９０へ進む。一方、Ｓ７０９０では、制御部４０１０は、作成された読み取り設定指示を複合機２０００に送信する。
【００６９】
次に、Ｓ７１００で、携帯端末４０００の制御部４０１０は、あらかじめ設定されている読み取り実行指示を行うかどうかの設定を読出し、読み取り実行指示を行う設定がなされているかどうかを判断する。ここで、読み取り実行指示を行う設定であると制御部４０１０が判断した場合は、Ｓ７１２０で、読み取り実行指示を複合機２０００に送信し、処理を終了する。
一方、Ｓ７１００で、読み取り実行指示を行う設定でないと制御部４０１０が判断した場合は、Ｓ７１３０で、読み取り実行指示なしを複合機２０００に送信し、本処理を終了する。
【００７０】
そして、Ｓ７５１０では、複合機２０００が携帯端末４０００からの指示を受信する。次に、Ｓ７５２０で、複合機２０００のＣＰＵ２００１は受信した指示の内容が読み取り実行指示かどうかを判断する。ここで、受信した指示の内容が読み取り実行指示であるとＣＰＵ２００１が判断した場合は、Ｓ７５３０へ進む。そして、Ｓ７５３０で、複合機２０００のＣＰＵ２００１は、スキャナ２０７０を動作させ読み取り設定画面９０００に設定された読み取り設定に従った原稿読み取り処理を実行して、本処理を終了する。
一方、Ｓ７５２０で、複合機２０００のＣＰＵ２００１が受信した指示の内容が読み取り実行指示でないと判断した場合は、本処理を終了する。
〔第３実施形態〕
【００７１】
上記第１、第２実施形態では、携帯端末の読み取り設定指示を携帯端末４０００で作成し、複合機２０００に送信する例を説明した。
本実施形態では、携帯端末４０００では傾き角度を送信するだけとし、読み取り設定の変更処理は複合機２０００で行う例を説明する。
【００７２】
なお、複合機２０００、携帯端末４０００の基本的なハードウエア構成、ソフトウエア構成は第１実施形態と同様である。
ただし、携帯端末４０００のスキャンアプリケーション５０３０の処理フローは図６で説明されるフローではなく図１０のフローチャートで説明されるものである。また、複合機２０００の携帯端末連携処理部３０１９の処理フローは図６で説明されるフローではなく図１０のフローチャートとなる。
【００７３】
図１０は、本実施形態を示す画像処理システムの制御方法を説明するフローチャートである。なお、各ステップは、携帯端末４０００の制御部４０１０、複合機２０００のＣＰＵ２００１が制御プログラムを実行することで実現される。
なお、図１０の左側の「携帯側アプリ起動処理」で開始されるフローチャートは携帯端末４０００の制御部４０１０で実行されるスキャンアプリケーション５０３０の処理である。また、図１０の右側の「ＭＦＰ側アプリ起動処理」で開始されるフローチャートは複合機２０００のＣＰＵ２００１で実行される携帯端末連携処理部３０１９の処理である。
さらに、図中斜線編みかけで表現した部分は図６で説明したのと同じ処理を行う部分であるのでここでは特に説明を行わず、図６と異なる部分のみを説明する。
【００７４】
Ｓ１０５１０で、複合機２０００は装置の状態を携帯端末４０００に送信する。ここで、送信される装置状態には、利用可能な通信経路、利用可能な通信経路に割り当てられているアドレスが送信される。また、通信経路としては装置の運用状態により短距離無線通信部（Ｂｌｕｅｔｏｏｔｈ（登録商標）），ＬＡＮのどちらか一方または両方を通知する。
また、短距離無線通信部（Ｂｌｕｅｔｏｏｔｈ（登録商標））が無効な場合や、ＬＡＮケーブルが抜けている場合など状況によってはどちらもなしとして通知することもある。携帯端末４０００は上記装置状態を受信し、後で参照可能なように保存しておく。Ｓ１０１２０で携帯端末４０００は、傾き検出部５０４８により。携帯端末の傾き角度を取得する。
【００７５】
そして、Ｓ１０１３０で、携帯端末４０００は、複合機２０００にスキャンアプリ起動指示を送信する。このとき、上記の携帯端末の傾き角度も送信して、本処理を終了する。
次に、Ｓ１０５２０で、複合機２０００は、上記スキャンアプリ起動指示を受信する。次に、Ｓ１０５３０で、複合機２０００のＣＰＵ２００１は、スキャナ２０７０の原稿台に原稿が載っているかどうかを確認する。ここで、原稿が載っているとＣＰＵ２００１が判断した場合は、Ｓ６５８０に処理を進め、原稿が載っていないとＣＰＵ２００１が判断した場合は、本処理を終了する。
【００７６】
次に、Ｓ１０５４０で、複合機２０００のＣＰＵ２００１は、Ｓ１０５２０で受信した携帯端末の向きにより処理を分岐する。ここで、向きが縦方向（傾き角度０度前後）の場合には、Ｓ１０５５０に分岐して、本処理を終了する。一方、Ｓ１０５４０で、向きが横方向（傾き角度９０度前後）であるとＣＰＵ２００１が判断した場合は、Ｓ１０５６０に分岐して、本処理を終了する。
Ｓ１０５５０では、複合機２０００のＣＰＵ２００１は、保存時の回転角度を回転なしに設定し、読み取り設定画面９０００のボタン９０６０に反映して、本処理を終了する。一方、Ｓ１０５６０では、複合機２０００は、保存時の回転角度を９０度回転に設定し、読み取り設定画面９０００のボタン９０６０に反映して、本処理を終了する。
以上説明したように本実施形態によれば、携帯端末４０００と複合機２０００の間でやり取りする情報の量が削減され、より効率的に動作するシステムが提供できる。
【００７７】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００７８】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００７９】
２０００  複合機
４０００  携帯端末
１００５  ＬＡＮ
１００６  無線ＬＡＮ  ルータ
【図１】
2013121053.tif 000003
【図２】
2013121053.tif 000004
【図３】
2013121053.tif 000005
【図４】
2013121053.tif 000006
【図５】
2013121053.tif 000007
【図６】
2013121053.tif 000008
【図７】
2013121053.tif 000009
【図８】
2013121053.tif 000010
【図９】
2013121053.tif 000011
【図１０】
2013121053.tif 000012